(57)【要約】【課題】剥離紙付きの粘着ラベルが複写又は印刷前後及び複写時又は印刷時にカールすることを防止できるようにすると共に、複写又は印刷した文字図形がラベルの所定位置からずれないようにしたラベル用シートを提供する。【解決手段】複写用又は印刷用合成樹脂フィルム１０の裏面１２に粘着剤２０を塗布し、前記粘着剤層２０にシリコーン層３０を介して剥離可能に粘着する剥離紙を貼着したラベル用シートにおいて、前記剥離紙の裏面に複写又は印刷する方向に沿って、１本又は複数本の切り込み線６０を設け、複写時又は印刷時の加熱による剥離紙の寸法変化による障害を防止できるようにしたもの。【選択図】    図２
2004163611.tif 000002
【特許請求の範囲】
【請求項１】
電子複写用又はトナ定着印刷用合成樹脂フィルムの裏面に粘着剤を塗布し、前記粘着剤層にシリコーン層を介して剥離可能に粘着する剥離紙を貼着したラベル用シートにおいて、前記剥離紙の裏面に電子複写又はトナ定着印刷する方向に沿って、１本又は複数本の切り込み線を設け、電子複写時又はトナ定着印刷時の加熱による剥離紙の寸法変化による障害を防止できるようにしたことを特徴とするラベル用シート。
【請求項２】
前記剥離紙がシリコーン層、ポリエチレンフィルム層及び紙層からなり、紙層の表面にポリエチレンフィルム層を融着して電子複写前又はトナ定着印刷前の紙層の寸法変化による障害を防止できるようにすると共に、裏面に１本、２本又は３本の切り込み線を設けたことを特徴とする請求項１記載のラベル用シート。
【発明の詳細な説明】
【０００１】
【発明の属する技術分野】
本発明は、表面を電子複写（以下、単に複写という。）又はトナ定着印刷（以下、単に印刷という。）できるようにし、裏面に粘着剤を塗布したラベル用合成樹脂フィルムと、前記粘着剤層にシリコーン層又はシリコーン層と他の層を介して剥離可能に貼着した剥離紙とからなるラベル用シートに関するものである。
【０００２】
【従来の技術】
従来、上記ラベル用シートの剥離紙には、シリコーン層、ポリエチレン層及び紙層のもの、シリコーン層及び紙層のもの、シリコーン層、水溶性ポリマー層及び紙層のもの、シリコーン層、クレーバインダ層及び紙層のもの、シリコーン層及びグラシン紙層などがあったが、いずれの剥離紙も雰囲気の湿度変化による吸脱湿により伸縮し、カール（反り）が生じ、また、複写時や印刷時には、複写機又は印刷機の加熱によって、剥離紙の寸法変化による複写又は印刷の文字図形の複写位置や印刷位置のズレが生ずる障害が頻発した。
そこで、本発明者は、鋭意研究の結果、剥離紙の裏面に、複写又は印刷する方向に沿って、１本又は複数本の切り込み線を設けることにより、複写又は印刷前後のラベル用シートのカールを防止すると共に、複写時又は印刷時の複写又は印刷した文字図形がラベルの所定位置よりズレて複写又は印刷されることを防止できることを見出し、本発明を完成した。
【０００３】
【発明が解決しようとする課題】
本発明は、剥離紙付きの粘着ラベルが複写又は印刷前後及び複写時又は印刷時にカールすることを防止できるようにしたラベル用シートを提供するものである。
また、本発明は、剥離紙付きの粘着ラベルが複写時又は印刷時に複写又は印刷した文字図形がラベルの所定位置からずれないようにしたラベル用シートを提供するものである。
【０００４】
【課題を解決するための手段】
本発明ラベル用シートは、上記課題を解決するため、図示するように、複写用又は印刷用合成樹脂フィルム１０の裏面１２に粘着剤２０を塗布し、前記粘着剤層２０にシリコーン層３０を介して剥離可能に粘着する剥離紙を貼着したラベル用シートにおいて、前記剥離紙の裏面に複写又は印刷する方向に沿って、１本又は複数本の切り込み線６０を設け、複写時又は印刷時の加熱による剥離紙の寸法変化による障害を防止できるようにしたものである。
また、本発明ラベル用シートは、上記課題を解決するため、図示するように、上記発明において、前記剥離紙がシリコーン層３０、ポリエチレンフィルム層４０及び紙層５０からなり、紙層５０の表面５１にポリエチレンフィルム層４０を融着して複写前又は印刷前の紙層５０の寸法変化による障害を防止できるようにすると共に、裏面に１本、２本又は３本の切り込み線６０を設けたものである。本発明において、複写用又は印刷用合成樹脂フィルムは、通常、厚み約３８〜７５ミクロンのポリエステルフィルム、ポリプロピレンフィルム等の耐熱性フィルムが用いられる。
粘着剤は、アクリル系、ゴム系、シリコーン系等いずれも使用できる。
粘着剤剥離用シリコーンは、縮合反応硬化型、付加反応硬化型いずれも使用され、また、溶剤使用タイプのほか無溶剤タイプも使用される。
紙は、通常、厚み６４〜１１０ｇ／ｍ２  の上質紙、クラフト紙等が使用される。
剥離紙裏面の切り込み線は、溶剤を使用したシリコーン層の場合は、溶剤が紙層へ浸透しないようにする目的のポリエチレン等の合成樹脂層の目止め処理効果を阻害しない範囲の本数にする必要があり、また、切り抜き線は、これによって紙のへたり（折り）が発生しない範囲の本数にする必要がある。
さらに、切り抜き線は、シリコーン層と紙層との間に、ポリエチレンその他の中間層がある場合、シリコーン層、中間層及び紙層は共に切り込まれることが好ましい。
【０００５】
【発明の実施の形態】
本発明の実施の形態が図１及び図２に示されている。
本発明の各実施例は、Ａ４大のポリエステルフィルム１０の裏面１２に、アクリル系粘着剤層２０が塗布され、その下面に、シリコーン層３０、ポリエチレン層４０及び紙層５０からなるＡ４大の剥離紙が貼着されたもので、各層の厚み、は次表の通りである。
【０００６】
【表１】
2004163611.tif 000003
（註）中間層のポリエチレンは、クラフト紙の上面に平面的に融着積層されたものである。
ポリエチレン融着積層のクラフト紙は、温度２０℃、湿度６０℃の雰囲気のとき、Ａ４の標準寸法に補正される。
【０００７】
切り込み線６０は、図１及び２に示すように、Ａ４剥離紙の電子複写機又は印刷機の挿入方向に沿って等間隔に２本設けたもので、紙層５０からポリエチレン層４０を経てシリコーン層３０まで切り込まれている。
本実施例では、中間層にポリエチレンを溶着しているので、剥離紙の腰が強く、また、ポリエチレン層の融点は約１３５℃であるが、複写又は印刷によって１５０℃〜２００℃に加熱されて１分間１０枚〜１３５枚の複写又は印刷をしても熱の影響は受けず、複写又は印刷の文字図形の所定位置がずれることなく、複写又は印刷直後のカールを生じない。
【０００８】
【発明の効果】
本発明によれば、複写又は印刷前後の、雰囲気の湿度変化による寸法変化があっても、切り込み線によって緩和されてカールが生じにくく、また、複写時や印刷時の加熱によって、紙層や中間層の寸法変化があっても、カールが生じにくいので、複写又は印刷の文字図形の所定位置がずれることが生じにくい。
以上のように、本発明は、簡単容易かつ安価に剥離紙付きの粘着シートのカールや複写又は印刷した文字図形の位置ずれを防止できるようになった。
【図面の簡単な説明】
【図１】本発明の実施の形態を示す裏面図である。
【図２】図１の部分拡大断面図である。
【符号の説明】
１０      合成樹脂フィルム
２０      粘着剤
３０      シリコーン
４０      ポリエチレン
５０      紙
６０      切り抜き線
【図１】
2004163611.tif 000004
【図２】
2004163611.tif 000005